(57)【要約】【課題】所定の画像情報を記憶した記憶媒体と電子カメラを組み合わせることで、より付加価値を高めることができる電子カメラシステム、記憶媒体及び電子カメラを提供する。【解決手段】ライトワンス・メモリ９の第１の記憶領域に、スポンサー名などを所定の画像情報として記憶しておくことにより、ライトワンス・メモリ９を装着したデジタルスチルカメラ１００の電源スイッチ投入時など、画像表示部８にそのスポンサー名などの画像が自動的に表示されるため、画像をプリントするか否かに関わらず広告の効果が効果的に発揮される。従って、スポンサーより高い広告料を徴収できるので、その分、ライトワンス・メモリ９の販売価格を抑えることができるため、ユーザーの負担が減少する。【選択図】　　図３
2004129005.tif 000002
【特許請求の範囲】
【請求項１】
予め所定の画像情報が記録され且つ当該画像情報に対して上書き不可能な第１の記録領域と、撮影した画像情報を任意に記録可能な第２の記録領域と、を備えた記憶媒体と、
画像を表示する画像表示部を備え、前記記憶媒体を装着可能な電子カメラと、を有する電子カメラシステムにおいて、
前記電子カメラに前記記憶媒体が装着されているときに、前記第１の記憶領域から前記所定の画像情報を自動的に読み出し、当該画像情報に対応する画像を前記画像表示部に表示するよう構成されていることを特徴とする電子カメラシステム。
【請求項２】
前記所定の画像情報は、複数種類の画像に対応した画像情報であり、所定時間毎に順次読み出しと表示が行われるようになっていることを特徴とする請求項１に記載の電子カメラシステム。
【請求項３】
前記第１の記憶領域に、各画像情報に対応づけた重み付け情報が記憶されており、前記重み付け情報に基づいて表示形態が変更されるようになっていることを特徴とする請求項２に記載の電子カメラシステム。
【請求項４】
請求項１乃至３のいずれかに記載の電子カメラシステムに用いる記憶媒体であって、
前記第１の記憶領域には、任意の画像情報を記憶可能となっていることを特徴とする記憶媒体。
【請求項５】
請求項１乃至３のいずれかに記載の電子カメラシステムに用いる電子カメラにおいて、
前記電子カメラの撮影によって取得された画像情報は、前記第１の記憶領域及び前記第２の記憶領域の少なくとも一方に記憶されることを特徴とする電子カメラ。
【発明の詳細な説明】
【０００１】
【発明の属する技術分野】
本発明は、電子カメラシステムに関し、特に、装着された記憶媒体に応じて所定の画像表示を行える電子カメラと、その記憶媒体とを有する電子カメラシステムに関する。
【０００２】
【従来の技術】
電子技術の向上に伴い、撮像（撮影ともいう）した画像をデジタルデータに変換して記憶する電子カメラが開発され、既に市販されている。ユーザーは、電子カメラにより撮像した画像を、たとえば自分のパソコンのディスプレイに表示でき、またプリンタを介してプリントできるため、その応用範囲は広いものとなっている。
【０００３】
かかる電子カメラは、メモリカードなどの記憶媒体を装着可能となっており、装着されたメモリカードには、その記憶容量分だけ、撮影によって取得した画像情報を記憶できるようになっている。又、メモリカードの記憶残量が少なくなった場合には、不要な画像情報を消去することで、新たな画像情報を記憶できるようになっている。しかるに、メモリーカードは画像情報の記憶と消去を任意に行えるものであるから、電子カメラには非常に有効なものだが、一般的には高価であるという問題がある。
【０００４】
ところで、以下の特許文献１においては、デジタルスチルカメラをレンタルする場合において、そのレンタル料の一部を広告費でまかなうというサービスが開示されている。かかるサービスは、レンタルしたデジタルスチルカメラで撮影を行った場合、そのプリントにスポンサー名を形成することで、広告の効果を得ると共に、その広告料をレンタル料の一部に充当しようとするものであり、スポンサーとレンタル者の双方の利益を確保できるものである。
【特許文献１】
特開２００２−７５５９
【０００５】
【発明が課題を解決しようとする課題】
ここで、かかるサービスを転用し、例えばメモリカードを販売するに当たってはスポンサーを募り、そのメモリカードにスポンサー名等などを記憶しておき、記憶された画像情報に基づいてプリントを形成する場合、併せてスポンサー名等をプリントするサービスも考えられる。かかる場合、広告料をメモリカード代金の一部に充当すれば、その分、ユーザーは安価にメモリカードを購入することができる。
【０００６】
しかしながら、メモリカードに記憶された画像情報に基づいて、必ずしも画像がプリントされるとは限らない。例えば撮影により記憶された画像情報が、パソコンのハードディスクなどに転送されれば、そのメモリカードに新たに上書きができることから、スポンサー名がユーザーの目に触れることなく、メモリカードの繰り返し利用を許してしまうこととなる。又、プリントにスポンサー名などを形成したとしても、その部分が切り取られてしまえば、十分な広告の効果が得られないという問題もある。
【０００７】
本発明は、かかる従来技術の問題点に鑑みてなされたものであり、所定の画像情報を記憶した記憶媒体と電子カメラを組み合わせることで、より付加価値を高めることができる電子カメラシステム、記憶媒体及び電子カメラを提供することを目的とする。
【０００８】
【課題を解決するための手段】
上述の目的を達成すべく、本発明の電子カメラシステムは、予め所定の画像情報が記録され且つ当該画像情報に対して上書き不可能な第１の記録領域と、撮影した画像情報を任意に記録可能な第２の記録領域と、を備えた記憶媒体と、画像を表示する画像表示部を備え、前記記憶媒体を装着可能な電子カメラと、を有する電子カメラシステムにおいて、前記電子カメラに前記記憶媒体が装着されているときに、前記第１の記憶領域から前記所定の画像情報を自動的に読み出し、当該画像情報に対応する画像を前記画像表示部に表示するよう構成されているので、例えば前記第１の記憶領域に、スポンサー名などを所定の画像情報として記憶しておくことにより、前記記憶媒体を前記電子カメラに装着したとき、又は前記記憶媒体を装着した前記電子カメラの電源スイッチ投入時など、前記画像表示部にそのスポンサー名などの画像が自動的に表示されるため、画像をプリントするか否かに関わらず広告の効果が効果的に発揮される。従って、スポンサーより高い広告料を徴収できるので、その分、前記記憶媒体の販売価格を抑えることができるため、ユーザーの負担が減少する。尚、画像表示のタイミングとしては、前記電子カメラの電源スイッチ投入後から撮影前までの任意の期間が望ましいが、それに限られることはない。更に、画像情報には、スポンサー情報に限ることなく、記憶媒体のメーカー名、キャラクターなどの静止画に対応する画像情報、動画に対応する画像情報の他、さらには音声情報を付随させていても良い。
【０００９】
更に、前記所定の画像情報は、複数種類の画像に対応した画像情報であり、所定時間毎に順次読み出しと表示が行われるようになっていると、例えば複数のスポンサーなどが存在する場合に対応できる。
【００１０】
又、前記第１の記憶領域に、各画像情報に対応づけた重み付け情報が記憶されており、前記重み付け情報に基づいて表示形態が変更されるようになっていると、と、例えば複数のスポンサーの内、主たるスポンサーに関する情報については、比較的高い頻度もしくは長い時間で表示するというように表示態様を変更することが可能となる。
【００１１】
ところで、ユーザーによっては、お気に入りの画像を、例えば電源スイッチ投入毎に前記画像表示部に投入させたい者もいると考えられる。そこで、本発明の別な側面として、前記記憶媒体の第１の記憶領域には、任意の画像情報を記憶可能となっていると、そのようなユーザーのニーズに応えることができる。
【００１２】
但し、前記第１の記憶領域に、常に上書きできてしまうと、記憶したスポンサーに関する情報などが失われてしまう恐れがある。そこで、スポンサーに関する情報などを記憶する場合には、前記第１の記憶領域に上書きできないようにすることが望ましい。
【００１３】
更に、近年、ライトワンスと呼ばれるメモリが開発されている。ライトワンス・メモリは、１度だけ画像情報を記憶でき、且つ何回でも読み出し可能なメモリであり、その構成上、比較的安価である。従って、前記記憶媒体にライトワンス・メモリを用いれば、前記第１の記憶領域に記憶した画像情報の上書きはできないこととなる。この場合、前記第２の記憶領域にも、１回しか画像情報を記憶できないことになるが、ライトワンス・メモリ自体が安価であることから、場合によっては、スポンサーが無料で配布することで広告効果を発揮するなどの利用法も考えられる。
【００１４】
又、前記電子カメラの撮影によって取得された画像情報は、前記第１の記憶領域及び前記第２の記憶領域の少なくとも一方に記憶されると好ましい。前記第１の記憶領域に画像情報を上書きする場合は、前記記憶媒体がいわゆるフラッシュ・メモリであることが前提である。
【００１５】
【発明の実施の形態】
以下、図面を参照して本発明の実施の形態にかかる電子カメラシステムを詳細に説明する。電子カメラシステムは、電子カメラと記憶媒体とから構成される。図１は、電子カメラの一例であるデジタルスチルカメラｌ００の一実施の形態を示す外観図であり、図１（ａ）はデジタルスチルカメラ１００の前面斜視図、図１（ｂ）は背面斜視図である。
【００１６】
図１において、デジタルスチルカメラ１００の前面に、被写体を撮像するための撮像部２４、被写体に補助光を発光する補助光発光部３０、撮影者が覗くことで被写体を含む構図を確認できる光学式ファインダー２５を備え、その背面に、撮影画像等を表示する画像表示部８、撮影設定状況等を表示する情報表示部（いわゆるステイタスＬＣＤ）２６、各種機能の設定、切換を操作するための操作ＳＷ（スイッチ）２１を備え、更にデジタルスチルカメラ１００の上面に、シャッターレリーズを行うためのレリーズスイッチ２１ａを備えて構成される。なお、各構成部における詳細な説明は、後述する機能的構成の説明と併せて記載する。閃光発光部は、ポップアップタイプのため図示されていない。又、図１では図示していないが、デジタルスチルカメラ１００の底部には、記憶媒体であるライトワンス・メモリ９を装着するためのメモリスロットが設けられている。
【００１７】
図２は、デジタルスチルカメラ１００の機能的構成を示すブロック図である。図２において、デジタルスチルカメラ１００は、撮影光学系であるレンズユニット１、絞り２、ＣＣＤ３からなる撮像部２４、撮像回路４、Ａ／Ｄ変換回路５、メモリ６、Ｄ／Ａ変換回路７、画像表示部８、圧縮伸長回路１０、ＣＰＵ１１、ＴＧ１２、ＡＥ・ＡＦ処理回路１３、ＣＣＤドライバ１４、絞り駆動モータ１５、絞り駆動モータ駆動回路１６、光学系駆動モータ１７、光学系駆動モータ駆動回路１８、電池１９、不揮発性メモリであるフラッシュ・メモリ２０、ズームスイッチＳＴ等を含む操作ＳＷ２１、閃光発光部２２、補助光発光手段である補助光発光部３０（ＡＦ用の補助光発光部や赤目軽減ランプと兼用できる）、スイッチング回路２３、情報表示部２６とから構成される。尚、デジタルスチルカメラ１００は、記憶媒体であるライトワンス・メモリ９を装着自在となっており、装着した状態で、ライトワンス・メモリ９に対して１度だけ画像情報を記憶し且つ記憶した画像情報を読み出し可能であるが、その上書きは不可能となっている。
【００１８】
撮像部２４は、後述する被写体の光学像を取り込むレンズユニット１、レンズユニット１を透過した光束の光量を調節すると共に露光の調節を行う絞り２、レンズユニット１の光路上において結像された被写体の光学像を光電変換するＣＣＤ（Ｃｈａｒｇｅ　Ｃｏｕｐｌｅｄ　Ｄｅｖｉｃｅ）３により構成され、光電変換された画像信号（アナログ信号）を撮像回路４ヘ出力する。
【００１９】
撮像回路４は、ＴＧ１２から入力されるタイミング信号に同期させて、ＣＣＤ３から入力された画像信号の感度補正等の各種画像処理を行って所定の画像信号を生成し、Ａ／Ｄ変換回路５に出力する。Ａ／Ｄ変換回路５は、入力された画像信号をアナログ信号からデジタル信号へ変換し、ＣＰＵ１１の指示によりメモリ６、又はＡＥ・ＡＦ処理回路１３に画像情報を出力する。
【００２０】
メモリ６は、バッファメモリ等から構成され、入力された画像信号を一時的に記憶する。また、メモリ６は、ＣＰＵ１１より画像表示指示を受けると、Ｄ／Ａ変換回路７に画像表示指示された画像情報を出力し、Ｄ／Ａ変換回路７は、入力された画像情報をアナログ変換するとともに、出力表示に適応するよう処理を施して画像表示部８に出力表示する。一方、メモリ６は、後述する所定の条件が成立したときに、ＣＰＵ１１より画像記憶指示を受けると、圧縮伸長回路１０に画像記憶指示された画像情報（たとえばＪＰＥＧ形式で）を出力し、圧縮伸長回路１０は、入力された画像情報に対してライトワンス・メモリ９に出力する。
【００２１】
画像表示部（表示部ともいう）８は、ＴＦＴ（Ｔｈｉｎ　Ｆｉｌｍ　Ｔｒａｎｓｉｓｔｏｒ）等から構成され、Ｄ／Ａ変換回路７から入力された画像信号を出力表示する。なお、表示は画像に限らず、例えば、機能選択するメニュー画面などのテキスト画面であってもよい。
【００２２】
ライトワンス・メモリ９は、半導体メモリ等からなる１回のみ記憶可能なメモリであり、予め画像情報を帰欧している第１の記憶領域と、圧縮伸長回路１０から入力された画像情報を記憶する第２の記憶領域を有する記憶媒体である。又、固有のＩＤ情報を予め内部に記憶しており、かつ表面にそのＩＤ情報が印刷もしくは刻印されていると好ましい。
【００２３】
また、ライトワンス・メモリ９は、ＣＰＵ１１より画像読み出し指示を受けると、圧縮伸長回路１０に読み出し指示された画像情報を出力し、圧縮伸長回路１０は、入力された画像情報の伸長処理を行ってメモリ６に出力する。
【００２４】
圧縮伸長回路１０は、メモリ６から入力された画像情報を所定の符号化方式で圧縮する圧縮回路と、読み出し指示された画像情報を画面表示するためにライトワンス・メモリ９から入力された画像情報を復号化して伸長する伸長回路と、からなる。すなわち、圧縮伸長回路１０は、圧縮手段としての機能を有する。
【００２５】
ＣＰＵ（Ｃｅｎｔｒａｌ　Ｐｒｏｃｅｓｓｉｎｇ　Ｕｎｉｔ）１１は、フラッシュ・メモリ２０に記憶されている撮影に関わる各種アプリケーションプログラムを図示しないワークエリアに読み出し、当該プログラムに従った撮影処理等の各種処理を実行し、処理結果を画像表示部８、或いは情報表示部２６に表示させる。
【００２６】
ＣＰＵ１１は、レリーズスイッチ２１ａ（図１）の半押しに応じて、ＡＥ・ＡＦ処理回路１３を駆動制御し、得られた測光値より露光条件を決定すると共に、レンズユニット１をＡＦ処理により検出された合焦位置に駆動し、レリーズスイッチ２１ａの全押しに応じて露光処理を実行し、生成された画像信号に画像処理、及びデジタル変換を行ってメモリ６に一時記憶後、所定の条件に応じて、圧縮伸長回路１０により画像情報の圧縮化を行い、ライトワンス・メモリ９に出力する。尚、ＣＰＵ１１は、ライトワンス・メモリ９の第１の記憶領域と第２の記憶領域とを判別して、画像情報の読み出し、記憶が可能となっている。
【００２７】
ＴＧ（Ｔｉｍｉｎｇ　Ｇｅｎｅｒａｔｏｒ）１２は、所定のタイミング信号を発生して撮像回路４、ＣＰＵ１１、ＣＣＤドライバ１４に出力する。
【００２８】
ＡＥ（Ａｕｔｏ　Ｅｘｐｏｓｕｒｅ：自動露光制御）・ＡＦ（Ａｕｔｏ　Ｆｏｃｕｓ：自動焦点制御）処理回路１３は、適正な露光条件を検出するＡＥ処理を実行するＡＥ処理回路と、合焦位置を検出するＡＦ処理を実行するＡＦ処理回路と、を備えて構成される。各処理は、ＣＰＵ１１からの指示によりＡ／Ｄ変換回路５から入力された画像情報に対して実行される。
【００２９】
ＡＥ処理回路は、ＡＥ処理において、入力された１画面分、若しくは画面内の所定領域の輝度値に対して累積加算等の演算処理を行い、この処理結果から実露光時の適正な露光条件を算出して、ＣＰＵ１１に出力する。一方、ＡＦ処理回路は、ＡＦ処理において、入力された１画面分、若しくは画面内の所定領域を対象としてＡＦ評価値の算出を行い、その算出結果をＣＰＵ１１に出力する。
【００３０】
このＡＦ評価値は、焦点が合うほど大きい値になる特性を有しており、各レンズ位置を横軸に、ＡＦ評価値を縦軸にとりグラフを作成すると、合焦点を頂点とした山が形成される。すなわち、レンズユニット１を移動させながら求めたＡＦ評価値を互いに比較することにより、山の頂点、つまり合焦点を求めることができる。このようにしてＡＦ評価値を求める動作を探索動作という。なお、ＡＦ評価値は、入力された１画面分、若しくは画面内の所定領域に対して画像情報の周波数を分析することにより算出される。周波数分析では、ソフト的に帯域通過フィルタを構成し、この帯域通過フィルタを通過した画像信号強度の積分値を算出して、その算出結果をＡＦ評価値とする。すなわち、ＡＦ評価値は、コントラスト（明暗の差）情報であり、その画像に含まれる特定周波数の強度を求める演算を行うことにより算出される。
【００３１】
ここで、ＣＰＵ１１、ＡＦ処理回路によるＡＦ処理について説明する。ＣＰＵ１１は、駆動手段である光学系駆動モータ駆動回路１８を駆動制御して、レンズユニット１の第２レンズ群を移動させながら、各レンズ位置で漸次ＣＣＤ３により画像信号を生成させる。ＡＥ・ＡＦ処理回路１３は、Ａ／Ｄ変換回路５から入力された画像情報毎にＡＦ評価値を算出し、その比較を行って最大ＡＦ評価値であるレンズ位置を合焦点として検出し、ＣＰＵ１１に出力する。
【００３２】
ＣＣＤドライバ１４は、ＣＰＵ１１からの指示を受けると、ＴＧ１２から入力されるタイミング信号に同期させてＣＣＤ３の駆動及び制御を行う。具体的には、露光調節制御に応じたＣＣＤ３の電荷蓄積時間の制御を実行する。
【００３３】
絞り駆動モータ駆動回路１６は、ＣＰＵ１１からの指示により絞り駆動モータ１５の駆動を制御し、絞り駆動モータ１５は絞り２を駆動する。また、光学系駆動モータ駆動回路１８は、ＣＰＵ１１からの指示により光学系駆動モータ１７の駆動を制御し、光学系駆動モータ１７の駆動力によりレンズユニット１が駆動され、それによりレンズユニット１は所定の位置に移動する。
【００３４】
電池１９は、デジタルスチルカメラ１００の各構成部に電力を供給する電力源であり、例えば、リチウム電池やアルカリ乾電池等が適用される。
【００３５】
フラッシュ・メモリ（ＥＥＰＲＯＭ（Ｅｌｅｃｔｒｉｃａｌｌｙ　Ｅｒａｓａｂｌｅ　Ｐｒｏｇｒａｍｍａｂｌｅ　Ｒｅａｄ−Ｏｎｌｙ　Ｍｅｍｏｒｙ）も使用可能）２０は、デジタルスチルカメラ１００の撮像に関る各種アプリケーションプログラム、処理プログラム等を記憶する他、後述する情報を記憶可能となっている。
【００３６】
操作ＳＷ（スイッチ）２１は、レリーズスイッチ２１ａや、モード設定ボタン２１ｂ、文字入力ボタン２１ｃ、決定ボタン２１ｄなど、機能を切り替えるモードＳＷ、設定を選択するメニューＳＷ等、各種操作スイッチを備えて構成される。また、各スイッチを操作すると、信号を生成してＣＰＵ１１に出力する。なお、レリーズスイッチ２１ａは、撮影動作に先立ってＡＥ、ＡＦ処理を開始させる半押しレリーズスイッチと、実際の露光処理を開始させる全押しレリーズスイッチと、からなる２段のスイッチから構成されている。
【００３７】
閃光発光部２２は、撮影時に検出された周囲環境の輝度が不足する場合に、被写体にストロボ光を発光する発光部であり、スイッチング回路２３によりその発光タイミングや発光量等が制御される。
【００３８】
次に、本実施の形態にかかるデジタルスチルカメラ１００の動作について、図面を参照して説明する。図３は、デジタルカメラ１００の動作の制御を示すフローチャートである。図４は、画像表示部８における画像表示例を示す図である。尚、図３に示す以外にも、ライトワンス・メモリ９に記憶した画像情報を読み出して、画像表示部８に画像を表示する画像表示モードルーチンも存在する。
【００３９】
まず、図３のステップＳ１０１において、電源スイッチ（不図示）がオンとなっていれば、ステップＳ１０２で、ＣＰＵ１１は、ライトワンス・メモリ９の第１の記憶領域から、複数の画像情報と、それに対応する重み付け情報とを読み出す。尚、前記第１の記憶領域に画像情報がない場合、あるいは前記第１の記憶領域が存在しない場合、デフォルトとして記憶された単色画像（例えばブルー画面）の画像情報を読み出す。
【００４０】
更に、ステップＳ１０３で、ＣＰＵ１１は、画像表示部８に画像を表示する。例えば、図４（ａ）〜（ｃ）の画像に対応する重み付け情報として、それぞれ３，２，１という数値が第１の記憶領域に記憶されている場合、まず図４（ａ）の画像が３秒表示され、続いて図４（ｂ）の画像が２秒表示され、更に図４（ｃ）の画像が１秒表示され、再び図４（ａ）の画像が３秒表示され、・・・というように、重み付けされた時間（頻度）で繰り返し表示が成される。尚、ライトワンスメモリ９の第１の記憶領域に、単一の画像（ブルー画面含む）にかかる画像情報のみしか記憶されていない場合、同じ画像が継続して表示される。
【００４１】
更に、ステップＳ１０４で、ＣＰＵ１１は、第１段のレリーズスイッチ２１ａの押下信号（Ｓ１信号）が入力されるのを待つが、その間、図４の画像表示は続行される。ここで、第１段のレリーズスイッチ２１ａの押下信号（Ｓ１信号）が入力されたと判断すれば、ＣＰＵ１１は、ステップＳ１０５で、画像表示をスルー画像表示（ＣＣＤ３からの画像信号に基づきリアルタイムで画像表示部８に表示すること）に切り換える。その後、ＣＰＵ１１は、ステップＳ１０６で、ＡＥ処理を行って適切な合焦を行い且つ露光条件を決定し、更にステップＳ１０７で、第２段のレリーズスイッチ２１ａの押下信号（Ｓ２信号）が入力されるのを待つ。第２段のレリーズスイッチ２１ａの押下信号（Ｓ２信号）が入力されたと判断すれば、ＣＰＵ１１は、ステップＳ１０８で、ＡＦ処理を行ってレンズユニット１を合焦位置へと駆動し、ステップＳ１０９で、ＣＣＤ３を介して画像信号を取り込んで画像処理を行い画像情報を取得し、それに基づきステップＳ１１０で、かかる画像情報を、ライトワンス・メモリ９の第２の記憶領域に保存する。その後、フローはステップＳ１０１に戻るので、電源スイッチがオフ操作されない限り、再度図４に示す画像が表示されることとなる。
【００４２】
以上の実施の形態では、第１の記憶領域の所定の画像情報を記憶したライトワンス・メモリ９を装着したデジタルスチルカメラ１００の電源スイッチ投入から、レリーズスイッチ２１ａを操作されるまで、図４に示す画像が表示され続けるようにしているが、例えば電源スイッチ投入後何秒間というように、表示する時間を制限しても良い。又、
【００４３】
第２の実施の形態としては、ユーザーがお気に入りの画像を登録しておき、例えば電源スイッチ投入毎にお気に入り画像を表示させる電子カメラシステムがある。より具体的には、例えば操作スイッチ２１のモード設定ボタン２１ｂの操作などで、登録モード（不図示）を設定すれば、撮影により取得した又は第２の記憶領域に記憶された画像情報を、ライトワンス・メモリ９の第１の記憶領域に記憶することが可能となる。かかる場合、記憶媒体としては、ライトワンス・メモリより、何回でも画像情報を上書きできるフラッシュ・メモリが望ましい。
【００４４】
又、図２に点線で示すように、Ａ／Ｄ変換回路２７及びスピーカ（マイク兼用であって、録音した音声情報を第１の記憶領域に記憶できると好ましい）２８を設け、例えば図４（ａ）に示す表示を行った際に、ＣＰＵ１１が、ライトワンス・メモリ９の第１の記憶領域に記憶された音声情報を読み出して、Ａ／Ｄ変換回路２７及びスピーカ２８を介して「○○薬品、安い」などの音声として出力させるようにしても良い。
【００４５】
以上、本発明を実施の形態を参照して説明してきたが、本発明は上記実施の形態に限定して解釈されるべきではなく、適宜変更・改良が可能であることはもちろんである。例えば、記憶媒体の第１の記憶領域に記憶される画像情報は、スポンサー情報等に限らず、キャラクター情報などであっても良い。例えば人気のあるキャラクター情報を第１の記憶領域に予め記憶することで、電子カメラに自動的に表示されるようになるため、記憶媒体の付加価値が増大し、その販売価格を高くすることもできる。
【００４６】
【発明の効果】
本発明によれば、所定の画像情報を記憶した記憶媒体と電子カメラを組み合わせることで、より付加価値を高めることができる電子カメラシステム、記憶媒体及び電子カメラを提供することができる。
【図面の簡単な説明】
【図１】本発明を適用したカメラの一例であるデジタルスチルカメラｌ００の一実施の形態を示す外観図であり、図１（ａ）はデジタルスチルカメラ１００の前面斜視図、図１（ｂ）は背面斜視図である。
【図２】デジタルスチルカメラ１００の機能的構成を示すブロック図である。
【図３】本実施の形態にかかるデジタルスチルカメラで実行される処理を説明するフローチャートである。
【図４】画像表示部８の表示例を示す図である。
【符号の説明】
８　画像表示部
９　ライトワンス・メモリ
１１　ＣＰＵ
２１　操作スイッチ
１００　デジタルスチルカメラ
【図１】
2004129005.tif 000003
【図２】
2004129005.tif 000004
【図３】
2004129005.tif 000005
【図４】
2004129005.tif 000006